(57)【要約】  本発明は、活性炭吸着器（１００）、特に外部から換気される呼吸マスクまたは呼吸フードの使用者が使用するための活性炭吸着器に関し、活性炭吸着器（１００）は、フィルタカートリッジ（１０１）を収容するためのハウジング（２、３）を備え、ハウジング（２、３）は以下の特徴部、すなわち、空気供給ユニットから圧縮空気を受けるための空気入口ポート（９）と、呼吸マスクまたはフードに連結するためのコネクタ（６）と、活性炭吸着器（１００）の本体に、または活性炭吸着器（１００）のハウジング（２、３）にもしくはその上に固定することができ、別の構成要素（１５）との取り外し可能な連結、特に摺動または滑り連結を形成することができるユニット（４、４２）と、を有する。
2017532991.tif 000002
【特許請求の範囲】
【請求項１】
活性炭吸着器（１００）であって、フィルタカートリッジ（１０１）を収容するためのハウジング（２、３）を備え、前記ハウジングが以下の特徴部、すなわち
空気供給ユニットから圧縮空気を受けるための空気入口ポート（９）と、
呼吸マスクまたはフードに連結するためのコネクタ（６）と、
前記活性炭吸着器（１００）の本体に、または前記活性炭吸着器（１００）の前記ハウジング（２、３）にもしくは前記ハウジングの表面上に固定することができ、別の構成要素（１５）との取り外し可能な連結、特に摺動または滑り連結を形成することができるユニット（４、４２）と
を有することを特徴とする活性炭吸着器（１００）。
【請求項２】
請求項１に記載の活性炭吸着器（１００）であって、前記ハウジング（２、３）には、いずれの場合も２つの相互に向かい合う側部に、前記フィルタカートリッジ（１０１）を挿入することができる開口部（１０３）が設けられることを特徴とする活性炭吸着器（１００）。
【請求項３】
請求項１または２に記載の活性炭吸着器（１００）であって、前記ハウジング（２、３）が２つの中空の半球体または半殻から成ることを特徴とする活性炭吸着器（１００）。
【請求項４】
請求項２に記載の活性炭吸着器（１００）であって、前記開口部（１０３）が閉鎖可能、特にねじ込みキャップ（２、３）により閉鎖可能であることを特徴とする活性炭吸着器（１００）。
【請求項５】
請求項１から４のいずれか１項に記載の活性炭吸着器（１００）であって、前記フィルタカートリッジ（１０１）が管として形成されることを特徴とする活性炭吸着器（１００）。
【請求項６】
請求項５に記載の活性炭吸着器（１００）であって、炭粒子が前記管（１０１）の壁の内部に位置付けられ、前記管（１０１）の中空空間（１０１１）内に空気ヒータおよび／または空気クーラモジュール（１０２）が挿入され得ることを特徴とする活性炭吸着器（１００）。
【請求項７】
請求項５および６に記載の活性炭吸着器（１００）であって、前記フィルタカートリッジ（１０１）が２つの前記開口部（１０３）のうちの一方に導入され得、前記空気ヒータおよび／または空気クーラモジュール（１０２）が２つの前記開口部（１０３）の他方に導入され得ることを特徴とする活性炭吸着器（１００）。
【請求項８】
請求項１から７のいずれか１項に記載の活性炭吸着器（１００）であって、前記アダプタ（４２）が、１つ以上の摺動スロット（４２１）によって別の構成要素（１５）の対応する案内レール（１５２１）に摺動連結され得ることを特徴とする活性炭吸着器（１００）。
【請求項９】
請求項８に記載の活性炭吸着器（１００）であって、クランプ締めによって保持され得る、またはクランプ締めによって留まり得る少なくとも１つの突部（１５２１ｂ）が存在することを特徴とする活性炭吸着器（１００）。
【請求項１０】
請求項１に記載の活性炭吸着器（１００）であって、前記ハウジング（２、３）が回転するように構成されることを特徴とする活性炭吸着器（１００）。
【請求項１１】
請求項８および１０に記載の活性炭吸着器（１００）であって、前記ハウジング（２、３）が回転角度のいくつかの位置でアダプタ（１５）に係合されるように構成されることを特徴とする活性炭吸着器（１００）。
【請求項１２】
請求項８から１１のいずれか１項に記載の活性炭吸着器（１００）であって、アダプタ（４２）には、前記アダプタが別の構成要素に摺動連結された後、前記他の構成要素の当接接触部（１５３ｃ）を止めることができる当接接触部（４２２）が設けられることを特徴とする活性炭吸着器（１００）。
【請求項１３】
請求項１から１２のいずれか１項に記載の活性炭吸着器（１００）であって、ホルダ（５）が設けられることを特徴とする活性炭吸着器（１００）。
【請求項１４】
請求項１３に記載の活性炭吸着器（１００）であって、前記ホルダ（５）が前記ハウジング（２、３）に対して少なくともいくつかの領域において回動可能に固定されることを特徴とする活性炭吸着器（１００）。
【請求項１５】
請求項１４に記載の活性炭吸着器（１００）であって、前記ホルダ（５）の回動角度が２０°〜９０°であることを特徴とする活性炭吸着器（１００）。
【請求項１６】
請求項１５に記載の活性炭吸着器（１００）であって、前記ホルダ（５）の回動角度が７０°であることを特徴とする活性炭吸着器（１００）。
【請求項１７】
請求項１４に記載の活性炭吸着器（１００）であって、前記ホルダ（５）の自由端にロック要素（５２）が固定され、前記ホルダ（５）が折りたたまれたときに前記自由端（５）が前記ハウジング（２、３）にロックされるように、対応するロック要素が前記ハウジング（２、３）に固定されることを特徴とする活性炭吸着器（１００）。
【請求項１８】
請求項１７に記載の活性炭吸着器（１００）であって、前記ロック要素が磁石であることを特徴とする活性炭吸着器（１００）。
【請求項１９】
請求項１から１８のいずれか１項に記載の活性炭吸着器（１００）であって、圧力ディスプレイに連結されることを特徴とする活性炭吸着器（１００）。
【請求項２０】
請求項１から１９のいずれか１項に記載の活性炭吸着器（１００）であって、塗料スプレーガンなどの加圧空気で動作するハンドツールに連結するためのポート（９）を備えることを特徴とする活性炭吸着器（１００）。
【請求項２１】
請求項１から２０のいずれか１項に記載の活性炭吸着器（１００）であって、印付け要素（１０）を備えることを特徴とする活性炭吸着器（１００）。
【請求項２２】
請求項１から２１のいずれか１項に記載の活性炭吸着器（１００）であって、前記活性炭吸着器（１００）の前記ハウジング（２、３）がプラスチックから作られることを特徴とする活性炭吸着器（１００）。
【請求項２３】
請求項１から２２のいずれか１項に記載の活性炭吸着器（１００）であって、ベルトユニット（２００）とセットであることを特徴とする活性炭吸着器（１００）。
【請求項２４】
請求項２３に記載のベルトユニット（２００）であって、前記活性炭吸着器（１００）および／または固定ユニット（４）と取り外し可能な摺動連結を形成することができる少なくとも１つのアダプタ（１５）を備えることを特徴とするベルトユニット（２００）。
【請求項２５】
請求項２４に記載のベルトユニット（２００）であって、前記活性炭吸着器（１００）および／または前記固定ユニット（４）のための解放機構（１５３）を備えることを特徴とするベルトユニット（２００）。
【請求項２６】
請求項２４に記載のベルトユニット（２００）であって、少なくとも１つの案内レール（１５２１）および少なくとも１つの当接部分（１５２２）が設けられることを特徴とするベルトユニット（２００）。
【請求項２７】
請求項２４に記載のベルトユニット（２００）であって、少なくとも１つの案内溝および少なくとも１つの当接部分が設けられることを特徴とするベルトユニット（２００）。
【請求項２８】
請求項２４に記載のベルトユニット（２００）であって、少なくとも１つの締め付け面（１５３、１５２１ｂ）が存在することを特徴とするベルトユニット（２００）。
【請求項２９】
請求項２５から２８のいずれか１項に記載のベルトユニット（２００）であって、前記解放機構（１５３）がレバー機構（５）であることを特徴とするベルトユニット（２００）。
【請求項３０】
請求項２９に記載のベルトユニット（２００）であって、前記レバー（１５３ａ）が前記アダプタ（１５）に連結されることを特徴とするベルトユニット（２００）。
【請求項３１】
請求項３０に記載のベルトユニット（２００）であって、前記レバー（１５３ａ）が片腕状であり、前記アダプタ（１５）の領域から切り抜かれることを特徴とするベルトユニット（２００）。
【請求項３２】
請求項３０または３１に記載のベルトユニット（２００）であって、前記レバー（１５３ａ）が柔軟な材料から作られることを特徴とするベルトユニット（２００）。
【請求項３３】
請求項２９に記載のベルトユニット（２００）であって、前記レバー（１５３ａ）がハンドル（１５３ｂ）を備えることを特徴とするベルトユニット（２００）。
【請求項３４】
請求項３３に記載のベルトユニット（２００）であって、前記レバー（１５３ａ）と前記ハンドル（１５３ｂ）との間に少なくとも１つの当接面（１５３ｃ）が存在することを特徴とするベルトユニット（２００）。
【請求項３５】
請求項２４から３４のいずれか１項に記載のベルトユニット（２００）であって、前記ハンドル（１５３ｂ）を押すことにより、当接接触部（４２２）を、前記固定ユニット（４）および前記レバー（１５３ａ）の前記当接面（１５３ｃ）に接触させることによって、前記解放機構（１５３）がトリガされ、前記活性炭吸着器（１００）が前記ベルトユニット（２００）から取り外され得ることを特徴とするベルトユニット（２００）。
【請求項３６】
請求項２４から３５のいずれか１項に記載のベルトユニット（２００）であって、前記活性炭吸着器（１００）が前記固定ユニット（４）のある側でクッション（１４）上で支持されることを特徴とするベルトユニット（２００）。
【請求項３７】
請求項２４から３６のいずれか１項に記載のベルトユニット（２００）であって、前記活性炭吸着器（１００）への連結がいくつかの場所で行われることを特徴とするベルトユニット（２００）。
【発明の詳細な説明】
【技術分野】
【０００１】
本発明は、活性炭吸着器、特に外部から換気される呼吸マスクまたは呼吸フードの使用者が使用するための活性炭吸着器に関する。
【背景技術】
【０００２】
加圧空気で動作するスプレーガンによって溶剤を用いてラッカー塗装過程が行われている間、いわゆる「オーバースプレー」が発生することは避けられない。このことは、作業空間が異常な量の塗料またはラッカーの液滴で汚染されることを意味し、それは人体にとって非常に有害でもある。このため、作業者に対する衛生保護が必要である。好ましくは頭部全体、特に作業者の顔領域全体の前面を覆って護ることができる呼吸マスクは、この目的に好適であり、最大の衛生保護を提供する。このような呼吸マスクには、通常、環境空気とは別の加圧空気が供給される。この目的のため、概して加圧空気は、第１に空気調製システムに供給され、空気調製システムは、第１に単段または多段フィルタシステムを備える。次いで、フィルタ処理された空気は加圧空気ホースを介して胴バンドまたは腰ベルトに供給され、胴バンドまたは腰ベルトには、通例少なくとも１つのさらなる空気調製モジュールが設けられる。空気調製モジュールは活性炭吸着器とすることができ、別の空気調製モジュールは空気ヒータまたは空気加湿器とすることができる。活性炭吸着器モジュールにより、加圧空気になお含まれ得る望ましくない気化物質およびガスを取り除くことができる。また、空気ヒータモジュールおよび／または空気加湿器モジュールにより、衛生および健康に関するさらなる利点を実現することができる。さらなる有利な実施形態は、空気調節および分配モジュールを胴バンドまたは腰ベルトに固定することから成る。通常、構造全体はベルトユニットと呼ばれる。呼吸フードとともに使用するためのそのような有利なベルトユニットは、ＳＡＴＡ  ＧｍｂＨ＆Ｃｏ．ＫＧ社の「Ｖｉｓｉｏｎ２０００」という製品名で知られている。
【０００３】
今日、呼吸システムの使用者は、職業上の保護が保証されること、および使いやすいことをますます必要としている。他方では、製造者およびサプライヤは、可能な限り容易に製造でき、容易に組み立てでき、必要であれば再度容易に分解できる製品を所望している。
【先行技術文献】
【特許文献】
【０００４】
【特許文献１】国際公開第０１／０９７９１４号
【発明の概要】
【発明が解決しようとする課題】
【０００５】
本発明の課題は、上述した課題をどのようにすれば解決することができるかを示す可能性を提供することである。
【課題を解決するための手段】
【０００６】
本発明の課題は、請求項１の特徴を有する活性炭ユニットによって解決される。本発明による活性炭吸着器モジュールのハウジングは、容易に嵌め込み、装着、設置、取り扱い、および分解することができる。
【０００７】
添付の図面は本記述の一部を形成しており、本発明をより良く理解するために提供される。図面は本発明の可能な実施形態を示しており、記述と併せて本発明の原理を説明するために使用される。添付の図面では、同一の構成要素には同一の参照符号が付される。
【０００８】
以下の事項が図面に表される。
【図面の簡単な説明】
【０００９】
【図１Ａ】本発明の実施形態による活性炭吸着器の前方部分を示す図である。
【図１Ｂ】本発明の実施形態による活性炭吸着器の後方側部を示す図である。
【図２Ａ】固定ユニットを有する、本発明の実施形態による活性炭吸着器の組み立て図である。
【図２Ｂ】組み立て図のさらなる見方を示す図である。
【図３Ａ】固定ユニットをさらに示す図である。
【図３Ｂ】固定ユニットの別の見方を示す図である。
【図４】腰ベルトへの活性炭吸着器の固定を示す図である。
【図５】腰ベルトからの活性炭吸着器の取り外しを示す図である。
【図６Ａ】本発明の実施形態の例による、ある回転角度位置にある活性炭吸着器を示す図である。
【図６Ｂ】本発明の実施形態の例による、ある回転角度位置にある活性炭吸着器を示す図である。
【図６Ｃ】本発明の実施形態の例による、ある回転角度位置にある活性炭吸着器を示す図である。
【図６Ｄ】本発明の実施形態の例による、ある回転角度位置にある活性炭吸着器を示す図である。
【図６Ｅ】本発明の実施形態の例による、ある回転角度位置にある活性炭吸着器を示す図である。
【図７】腰ベルトを単独で示す図である。
【図８】本発明による活性炭吸着器の特に好ましい実施形態を示す図である。
【発明を実施するための形態】
【００１０】
以下の詳細な説明は図面を参照しながら理解され、図面は記述の一部を形成しており、本発明が提供する可能性の例示的な描写を示す。図面では、上部に、下部に、内側に、および外側になどの方向の指示は、記述される図面を参照して理解される。本発明の実施形態の構成要素はいくつかの異なる方向に配置されてもよく、したがって、方向の指示は単に図解のためだけに使用され、いかなる制限も意味しない。記述は、他の実施形態が選択され得るという趣旨で理解されるべきであり、構造的または論理的な変形は、それらが本発明の範囲に従って許可されるという前提に基づく。したがって、以下の詳細な記述は制限として理解されるべきではない。本明細書に記述される異なる実施形態の特徴は、それに反する別段の記載がない場合は、互いに組み合わせることができることが理解される。
【００１１】
本発明による活性炭吸着器１００は、外部から換気される呼吸マスクまたは呼吸フードの使用者によって使用されることが意図される。
【００１２】
図８で見ることができるように、本発明による活性炭吸着器１００はフィルタカートリッジ１０１を備え、フィルタカートリッジ１０１は専用ハウジング２、３内に配置される。ハウジング２、３は、２つの中空の半球体または半殻２および３から構成される。半殻２、３は、継ぎ目線３００に沿って互いに連結される。連結は、取り外し可能な連結であっても取り外し不可能な連結であってもよい。クリップ留め、接着、または溶着連結が可能である。
【００１３】
半球体または半殻２、３には、２つの互いに向き合う側部に、比較的大きな開口部１０３がそれぞれ設けられ、それらのうちの一方では、活性炭含有構成要素１０１の挿入および取り出しが可能であり、他方では、温度補償用装置の挿入および取り出しが可能である。各開口部１０３は、ねじ込みキャップ１０４で閉じることができる。温度補償用装置または他のモジュールが活性炭吸着器のハウジング２、３に挿入されない他の設計では、原則的には単一の開口部１０３で充分である。
【００１４】
本発明の示される好ましい実施形態では、活性炭はフィルタカートリッジ１０１に収容され、フィルタカートリッジ１０１は、管、特に真っ直ぐな円筒形の管の形態に設計される。炭粒子は管１０１の壁の内部に収容され、壁はその端部で閉じられる。管１０１の外径は、開口部１０３の直径よりもわずかに小さく、管１０１の長さは、ハウジングの２つのハウジング半球体または半殻２、３の直径よりもわずかに小さい。したがって、管１０１は問題なく開口部１０３に挿入することができる。
【００１５】
図面に示されない好ましい変更形態では、管１０１には、その２つの端部の一方に閉鎖板が設けられ、閉鎖板は、開口部１０３をこの閉鎖板によって閉じることができるように、活性炭吸着器１００のハウジング２、３の２つの開口部１０３のうちの一方の測定値に合わせて実質的に調整される。閉鎖板は、例えば、開口部１０３および／またはねじ込みキャップ１０４上のねじ山と一緒に機能し得るねじ山など、取り扱いおよび／または固定手段としての突部および／または凹部を有してもよい。
【００１６】
図８に示される特に好ましい実施形態では、所望される場合には、管１０１の中空空間１０１１内に、温度補償用装置または空気ヒータ／空気クーラモジュール１０２を導入することができる。温度補償装置１０２が存在する場合には、呼吸空気は、冬季には暖かくなるように作業者が選択した、作業者にとって快適な温度で作業者に到達して、風邪を引くのを防止する。夏季には作業者は、発汗を減らすために空気温度を涼しくなるように選択することができる。
【００１７】
図８にさらに示されるように、温度補償装置１０２は、高温空気チャネル１０４２および低温空気チャネル１０４０を有するプラスチック製の円筒形の中空本体１０６を備え、チャネル１０４２および１０４０は、中空本体１０６の長手方向で互いに隣接しており、流体連結している。
【００１８】
高温空気チャネル１０４２の内径は、低温空気チャネル１０４０の内径よりも小さくなるように設計され、高温空気チャネル１０４２の長さは、低温空気チャネル１０４０の長さよりも実質的に長い。本実施形態の例では、高温空気チャネル１０４２は、低温空気チャネル１０４０の約４倍長い。
【００１９】
本体１０６の中心軸線の周りに、径方向に、空気案内要素または空気偏向要素が、高温空気チャネル１０４２の全長の大部分にわたり延在している。しかし、空気偏向要素は、別の適切な形態で配置することもできる。本実施形態の例では、空気案内要素は、いわゆるスターも有する。低温空気チャネル１０４０上には、空気案内要素として、円形のディスク形状の空気旋回要素１４１が配置され、特に単一片を形成するように成形される。空気旋回要素１４１の内径は、低温空気チャネル１０４０の内径の約２倍の大きさである。空気旋回要素１４１には、内部にいくつかの渦巻要素が設けられ、渦巻要素は、本体１０６の中心軸線の周りに径方向に延在し、各渦巻要素は中空である。好ましい実施形態では、空気旋回要素１４１は、環状板１４４（図示せず）内で終わり、環状板１４４は、描写される好ましい実施形態では低温空気チャネル１０４０には取り付けられていないが、高温空気チャネル１０４２に取り付けられ、特にこのチャネル１０４２上に単一片を形成するように形成されている。環状板１４４は、空気旋回要素１４１の円筒形の壁よりもわずかに小さい直径を有する。高温空気チャネル１０４２および低温空気チャネル１０４０は、環状板１４４の領域において互いに連結され、本実施形態の例では、それらは単に互いに挿入され、圧入により留まっている。特に良好な加熱および冷却作用を実現することを目的として、空気旋回要素１４１の内径は、高温空気チャネル１０４２の内径の約２倍である。本発明による温度補償装置の動作原理は、渦または渦管の原理に対応しており、したがってさらに詳細に説明される必要はない。描写および記述される高温空気チャネル１０４２ならびに低温空気チャネル１０４０の長さ／直径の全本体１０２における比は、いずれの場合も、人間が使用するのに適切な空気温度補償を確実にする。
【００２０】
本発明の好ましい実施形態では、活性炭吸着器１００を、専用固定要素４を介して、およびそれに続き専用アダプタ１５を介して、腰ベルト２００に固定することが提供される。そのようなタイプの固定によって、活性炭吸着器１００は使用者の一方の手の近くにもたらされ、したがって使用者にとってかなり快適なものになる。
【００２１】
図１Ａ、図１Ｂ、図２Ａ、図２Ｂ、図４、および図５で見ることができるハウジング２、３は、実際には図８に示されるハウジング２、３とは外形、および特定の細部に関して異なっている。しかし、本質的な細部は一致しており、したがって本発明は、この実施形態の例も参照して以下に記載される。
【００２２】
ハウジング２、３、およびそれに応じた活性炭吸着器のハウジングは、第１の半殻２および第２の半殻３を備える。２つの活性炭吸着器、すなわち、図１Ａ、図１Ｂ、図２Ａ、図２Ｂ、図４、および図５による活性炭吸着器と、図８による活性炭吸着器とは、同じ固定ユニット４を用いてハウジング２、３を介して腰ベルト２００に取り付けることができ、必要に応じて再度それから取り外すことができる。
【００２３】
活性炭吸着器１００には空気入口コネクタ７が設けられ、その空気入口コネクタ７を介して外部の加圧空気供給源から活性炭吸着器１００に加圧空気が導入され得る。呼吸マスクまたはフードに通じるホースなどのためのコネクタ６は、ハウジング２、３の空気入口コネクタ７と同じ側で、この空気入口コネクタ７の上方に配置される。さらに、ポート９は、活性炭吸着器１００の他方の側に配置され、加圧空気で動作する塗料スプレーガンなどのハンドツールに至るホースなどを介して加圧空気が排出されることになる。このポート９と同じ側の、このポートの上方に、調節器８が位置付けられ、調節器８を使用して、呼吸マスクまたはフードに通じる空気の圧力を設定することができる。安全上の理由から、調節器８が「最小」に設定されたとしても、調節器８は、活性炭吸着器１００が常に所定の圧力で空気を呼吸マスクまたはフードに送達するように構成される。
【００２４】
呼吸マスクまたはフードに連結されるコネクタ６、および／または塗料ガンのための空気入口ポート９は、活性炭吸着器１００が使用されないときは、所望される場合、封止カバーなどを用いて閉じられてもよい。
【００２５】
好ましくは、活性炭吸着器１００は、圧力ディスプレイ（図示せず）に連結することができる。
【００２６】
図２Ａ、図２Ｂ、および図８にさらに詳細に示される好ましい実施形態では、活性炭吸着器１００の第２の半殻３にはホルダ５が設けられ、ホルダ５は折り畳み、または回転することができ、スプレーガンまたは呼吸マスクもしくはフードが使用されないときには、スプレーガンまたは呼吸空気ホースをホルダ５上に保持しておくことができる。図２Ｂに示されるように、本明細書では２本のアームで形成されているホルダ５の第１のアームは、活性炭吸着器１００にねじ１１によって固定される。他方の、ホルダ５の第２のアームは、第１のアームにヒンジ連結され、そうでない場合には独立している。第２のアームは、活性炭吸着器１００に対して回すことができる。
【００２７】
図２Ａに示されるように、ホルダ５の第２のアームは、２０°〜９０°の角度、好ましくは７０°の角度で回動することができる。さらに、好ましくは磁石である第１のロック要素５２が、ホルダ５の第２のアームの自由端に設けられる。ロック要素５２は、活性炭吸着器１００に設けられた第２のロック要素（好ましくは磁石を有する）とともに機能する。本実施形態の例では、第２のロック要素は、ホルダ５の第１のアームの上方の非自由端に設けられた板シート５１の領域でホルダ５に固定される。つまり、使用されていないときの格納位置では、ホルダ５は活性炭吸着器１００にしっかりと保持され得る。好ましくは、図２Ａおよび図２Ｂに示されるように、奥まった溝３１がハウジングの第２の半殻３に凹部を構成する。溝３１は、第２のアームが格納位置において上端のハンドル５００を除いて溝３１内で面一になるように、ホルダ５に合わせて寸法が調整される。
【００２８】
図３Ａおよび図３Ｂは、活性炭吸着器１００の固定ユニット４をそれぞれ前面図および背面図で示す。固定ユニット４は連結要素４１、４２を備え、連結要素４１、４２は、活性炭吸着器１００のハウジングの第１の半殻２を、腰ベルト２００の一部であるアダプタ１５に連結するのに適している（図４を参照）。
【００２９】
図３Ａおよび図３Ｂに示されるように、固定ユニット４の第１の連結要素４１は、本実施形態の例では実質的に楕円形状のものであり、２つの中空の突部４１１を有し、突部４１１は、連結要素４１の上部と底部に配置され、活性炭吸着器のハウジングの第１の半殻２の方向に突出している。固定ボア４１２が各突部４１１に組み込まれる。第１の半殻２は、対応する固定孔を有し、その中に突部４１１を挿入することができる。図２Ｂにさらに示されるように、ねじ１１が使用され、ねじ１１は、ホルダ５の第１のアームの上部および底部に位置付けられた板シート５１をそこに凹部を構成する固定孔５３を通って貫通し、続いて活性炭吸着器１００のハウジングの第１の半殻２および第２の半殻３の固定孔を貫通して係合する。突部４１１では、固定ユニット４がボルト１２によって固定される。特にしっかりとした固定を実現するために、ねじなどのためのボルト座４１３が提供される。
【００３０】
図３Ｂに示されるように、２つの摺動スロット４２１が、固定要素４のアダプタ領域４２に設けられる。アダプタ領域４２は輪郭が円形である。アダプタ領域４２の上側から離れるように当接接触部４２２がアダプタ領域４２の周囲面から突出している。２つの平行な突部４２１ｂは、アダプタ４２の中心の近くで円形表面から突出しており、いずれの場合も２つの摺動スロット４２１のうちの一方に対する内壁４２１ａの上側を表す。この目的のために、腰ベルト２００への活性炭吸着器１００の連結は、本発明による態様で達成される。
【００３１】
図１０および図１１に示される腰ベルト２００は、内側にクッション１４が設けられた胴バンド１３を備える。胴バンド１３には、外側に、活性炭吸着器１００の固定ユニット４のためのアダプタ１５が設けられる。
【００３２】
アダプタ１５は、支持板１５１、支持板１５１によって支持される固定板１５２、および解放機構１５３を備える。アダプタ１５上に２つの案内レール１５２１が設けられ、案内レール１５２１は、固定要素４のアダプタ領域４２にある２つの摺動スロット４２１に合わせて位置および形状が調整される。当接要素１５２２は、２つの案内レール１５２１をそれらの下端部において連結し、したがって当接部１５２２および２つの案内レール１５２１は本質的に「Ｕ」字形である。各案内レール１５２１は、固定板１５２から突出するリブ１５２１ａを備える。２つのリブ１５２１ａは、胴バンド１３の長手方向に沿って固定板１５２上に配置され、胴バンド１３の幅方向に沿って互いに平行に延在する。各リブ１５２１ａの上側部分には、胴バンドの長手方向に外向きに突出する突部１５２１ｂが設けられる。各突部１５２１ｂは、固定要素４のアダプタ領域４２にある摺動スロット４２１のための案内部またはクランプを固定板１５２上に画成する。
【００３３】
解放機構１５３は、単一アームのレバー１５３ａ、およびそのレバー１５３ａに連結されたハンドル１５３ｂを有する。図１０に示されるように、レバー１５３ａは、固定板１５２の上側部分の凹部にある。レバー１５３ａは比較的柔軟な材料から作られ、したがってハンドル１５３ｂに圧力が加えられると変形することができる。本実施形態の例では、レバー１５３ａは、固定板１５２とともに単一片を形成するように作られ、この板１５２から切り抜かれる。ハンドル１５３ｂは、単一片を形成するようにレバー１５３ａの上端に成形される。本実施形態の例では、ハンドル１５３ｂの上面はレバーの表面よりも大きく、その結果、ハンドル１５３ｂとレバー１５３ａの間に当接面１５３ｃが形成される。
【００３４】
図４は、固定要素４のアダプタ領域４２を介して活性炭吸着器１００がどのように腰ベルト２００にそのアダプタ１５を介して固定され得、そこから再度取り外され得るかをさらに詳細に示す。アダプタ１５の固定板１５２の案内レール１５２１は、対応して位置合わせされた後、下向きの圧力によって固定ユニット４のアダプタ領域４２の摺動スロット４２１内に導入され得る。摺動スロット４２１の突部４２１ｂ、および案内レール１５２１の突部１５２１ｂはこの場合互いに係合するので、活性炭吸着器１００はしっかりと腰ベルト２００に固定される。アダプタ１５上の当接要素１５２２は、活性炭吸着器１００の望ましくない下降が防止されるように、下方への摺動運動を制限する。固定ユニット４の当接接触部４２２の上端は、アダプタ１５の解放機構１５３の当接面１５３ｃが、活性炭吸着器１００と望ましくない接触をするのを防止する。
【００３５】
図５に示されるように、腰ベルト２００からの活性炭吸着器１００の取り外しは、簡単に実行することができる。ハンドル１５３ｂを矢印の方向１（図５）、すなわち腰ベルト２００の支持体の方に押すことにより、当接接触部４２２を、固定ユニット４およびレバー１５３ａの当接面１５３ｃに接触させることによって、解放機構１５３がトリガされ、矢印方向２（図５）の上向きの動きによって活性炭吸着器１００を取り外すことができる。
【００３６】
実施形態の例では、固定要素４のアダプタ領域４２に摺動スロット４２１があり、腰ベルト２００のアダプタ１５に案内レール１５２がある例だけを記述し示しているが、一方ではアダプタに摺動スロットを設け、または固定ユニットに案内レールを設けることが可能である。他のタイプの摺動運動もしくは移動運動、またはクリップ式もしくはスナップ式の連結など任意の他の取り外し可能な連結も可能である。
【００３７】
図９Ａおよび図９Ｂにも示されるように、固定ユニット４のアダプタ４２および固定ユニット４１は、薄い六角ナット４３およびねじ４４によって連結される。アダプタ４２は、連結要素４１に対して回転可能に連結されるので、活性炭吸着器１００（または固定ユニット４に固定された別のモジュール）は、腰ベルト２００に対して回転することができる（先の実施形態の例の図６Ａ〜図６Ｅを参照）。これにより、操作者にとっての快適さがさらに増す。
【００３８】
さらに、図１Ａ、図１Ｂ、および図８に示されるように、活性炭吸着器１００にはカラーコードシステムディスク１０（ＣＣＳディスク）が設けられる。本実施形態の例では、円形の凹部が、活性炭吸着器１００のハウジング２、３の上側に組み込まれており、その中にやはり円形のカラーコードディスク１０をクリップ留めすることができる。
【００３９】
様々な活性炭吸着器１００は、異なる色のカラーコードシステムディスク１０で個人専用にすることができる。または、このように、異なる活性炭吸着器を簡単に別々の呼吸マスクまたはフードに関連づけることができる。その他の固定タイプおよびカラーコードシステムの形態が、当然可能である。
【００４０】
カラーコードディスク以外の印の使用が当然可能である。印によって、呼吸装置の安全性がいずれの場合もさらに改善される。
【００４１】
好ましくは、活性炭吸着器１００のすべての要素または一部の要素は、プラスチック製である。別の可能な実施形態では、ハウジングの２つの半殻２、３は、異なる色を有してもよい。半殻の色が腰ベルトまたはアダプタ１５の色に合わせて調整されると、組み立ての間違いをほとんどなくすことができる。
【００４２】
本発明のさらなる設計では、活性炭吸着器への連結は、腰ベルトのいくつかの場所で行われてもよい。好ましくは２つの場所が選択されるべきであり、その後２つの場所は、腰ベルトが使用者によって着用されると、使用者の腰の左側と右側に位置付けられる。次いで活性炭吸着器は、一方から他方へ切替えられてもよく、その結果左利きの人も右利きの人も問題なくベルトユニットを使用することができる。
【００４３】
最後に、上記は本発明の好ましい実施形態だけを表しており、本発明はいかなる場合もそれらに限定されないことが、再度強調される。当技術分野の当業者にとっては、本発明は様々な変更形態および変形形態を有し得る。本発明の趣旨および原理内に含まれるすべての変形形態、等価の置換、改良形態は、保護範囲により網羅されるべきである。
【図１Ａ】
2017532991.tif 000003
【図１Ｂ】
2017532991.tif 000004
【図２Ａ】
2017532991.tif 000005
【図２Ｂ】
2017532991.tif 000006
【図３Ａ】
2017532991.tif 000007
【図３Ｂ】
2017532991.tif 000008
【図４】
2017532991.tif 000009
【図５】
2017532991.tif 000010
【図６Ａ】
2017532991.tif 000011
【図６Ｂ】
2017532991.tif 000012
【図６Ｃ】
2017532991.tif 000013
【図６Ｄ】
2017532991.tif 000014
【図６Ｅ】
2017532991.tif 000015
【図７】
2017532991.tif 000016
【図８】
2017532991.tif 000017
【国際調査報告】
2017532991.tif 000018
2017532991.tif 000019
2017532991.tif 000020
2017532991.tif 000021
2017532991.tif 000022
2017532991.tif 000023
2017532991.tif 000024
2017532991.tif 000025
2017532991.tif 000026
2017532991.tif 000027